【事件の表示】
　特願２０１１−　１００７４「インストルメントクラスタのポインタ構造」拒絶査定不服審判事件〔平成２３年　９月１５日出願公開、特開２０１１−１８０１２８、請求項の数（６）〕について、次のとおり審決する。
【結　論】
　原査定を取り消す。
　本願の発明は、特許すべきものとする。
【理　由】
第１　手続の経緯
　本願は、平成２３年１月２０日（パリ条約による優先権主張　２０１０年１月２５日（以下、「優先日」という。）　米国）に出願したものであって、平成２６年２月２８日付けの拒絶理由通知に対して平成２６年６月２日付けで手続補正がなされたが、平成２６年１２月１０日付けで拒絶査定がなされ、これに対し、平成２７年４月１５日付けで拒絶査定不服審判が請求されるとともに手続補正がなされ、その後、当審において平成２８年２月２４日付けで拒絶理由が通知され、平成２８年８月３０日付けで手続補正（以下、「本件補正」という。）がなされたものである。
第２　本願発明 
　本願の請求項１に係る発明（以下、「本願発明」という。）ないし請求項６に係る発明は、本件補正により補正された特許請求の範囲の請求項１ないし６に記載された事項により特定される、次のとおりのものである。
「【請求項１】
　自動車又は他の車両のインストルメントクラスタ用のポインティングデバイスであって、
　前記ポインティングデバイスは回転軸の周りを回転可能に取り付けられ、
　前記ポインティングデバイスは前記回転軸の近傍にシャフトエレメントを有し、
　前記ポインティングデバイスはさらに光ガイドエレメント又はミラーエレメントの少なくとも一つを前記シャフトエレメントの領域に備え、
　前記ポインティングデバイスはさらに画像形成エレメント又はアパーチャの一つを備え、
　前記画像形成エレメント又は前記アパーチャの一つ及び前記光ガイドエレメント又は前記ミラーエレメントの一つは、前記シャフトエレメントと前記回転軸周りに回転可能とされ、
　前記シャフトエレメントへ入射する光は、前記光ガイドエレメント又は前記ミラーエレメントの一つから前記画像形成エレメント又はアパーチャに向かい、画像形成エレメント又はアパーチャの一つを通りすぎ、さらに表示面にて反射されて初めてインストルメントクラスタのユーザに視認可能となり、
　前記ポインティングデバイスは、前記ポインティングデバイスの半径方向に沿って延びるキャリアとカバーリングエレメントとをさらに含み、前記カバーリングエレメントはユーザに視認可能であり、前記画像形成エレメント又はアパーチャの一つは前記キャリアと前記カバーリングエレメントとの間に挟まれて機械的にしっかりと固定されている、
ポインティングデバイス。
　　【請求項２】
　前記ポインティングデバイスはさらにフォーカシングエレメントを備え、前記フォーカシングエレメントは前記キャリアと前記カバーリングエレメントとの間に挟まれて機械的にしっかりと固定されて前記回転軸の周りを前記シャフトエレメントと共に回転可能とされ、さらに前記光は前記画像形成エレメント又は前記アパーチャの一つから前記フォーカシングエレメントに向かうことを特徴とする請求項１記載のポインティングデバイス。
　　【請求項３】
　前記光ガイドエレメント又は前記ミラーエレメントの一つは、前記シャフトエレメントと一体に形成される請求項１記載のポインティングデバイス。
　　【請求項４】
　前記フォーカシングエレメントは、前記画像形成エレメント又は前記アパーチャの一つ
と一体に形成される請求項２記載のポインティングデバイス。
　　【請求項５】
　自動車又は他の車両のインストルメントクラスタであり、
　前記インストルメントクラスタはポインティングデバイスを備え、
　前記ポインティングデバイスは回転軸の周りに回転可能なように取り付けられ、
　前記ポインティングデバイスは前記回転軸の近傍にシャフトエレメントを有し、
　前記ポインティングデバイスはさらに前記シャフトエレメントの領域に光ガイドエレメント又はミラーエレメントの少なくとも一つを備え、
　前記ポインティングデバイスはさらに画像形成エレメント又はアパーチャの一つを備え、
　前記画像形成エレメント又は前記アパーチャの一つ及び前記光ガイドエレメント又は前記ミラーエレメントの一つは前記シャフトエレメントと一緒に前記回転軸の周りに回転され、
　前記シャフトエレメントへ入射する光は、前記光ガイドエレメント又は前記ミラーエレメントの一つから前記画像形成エレメント又は前記アパーチャに向けられ、画像形成エレメント又はアパーチャの一つを通りすぎ、さらに表示面にて反射されて初めてインストルメントクラスタのユーザに視認可能となり、
　前記ポインティングデバイスは、前記ポインティングデバイスの半径方向に沿って延びるキャリアとカバーリングエレメントとをさらに含み、前記カバーリングエレメントはユーザに視認可能であり、前記画像形成エレメント又はアパーチャの一つは前記キャリアと前記カバーリングエレメントとの間に挟まれて機械的にしっかりと固定されている、
インストルメントクラスタ。
　　【請求項６】
　前記ポインティングデバイスはさらにフォーカシングエレメントを備え、前記フォーカシングエレメントは前記キャリアと前記カバーリングエレメントとの間に挟まれて機械的にしっかりと固定されて前記シャフトエレメントと一緒に前記回転軸の周りを回転され、前記光は前記画像形成エレメント又は前記アパーチャから前記フォーカシングエレメントに向けられる請求項５記載のインストルメントクラスタ。」 
第３　原査定の拒絶理由について 
１　原査定の理由の概要 
「２．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
　請求項１〜１２に対して
理由１，２
引用文献１
　引用文献１記載の発明（【００１６】〜【００３３】及び図１〜６参照）における、計器クラスタディスプレイ，反射面２５を含むポインタアセンブリ１６，ポインタキャップ２２の開口，レンズ６８，ポインタキャップ２２，ダイヤル面１２のスケール１４に沿って配置された反射面５６が、それぞれ本願発明の、インストルメントクラスタ，光ガイドエレメント又はミラーエレメントをシャフトエレメントの領域に備えたポインティングデバイス，画像形成エレメント又はアパーチャ，フォーカシングエレメント，カバーリングエレメント又はシュラウド，アップリケに相当するから、引用文献１には請求項１〜１２に係る発明が記載されている。
　　　　　　　　　　引　用　文　献　等　一　覧
１.特表２００９−５２３２５０号公報（必要ならば対応する英語特許文献である国際公開第２００７／０８２２６１号参照）　　　　　　　」
２　原査定の理由についての判断 
（１）引用例の記載事項
ア　原査定の拒絶の理由に引用され、本願の優先日前に頒布された刊行物である特表２００９−５２３２５０号公報（以下、「引用例１」という。）には、図面とともに次の記載がある（下線は、当審で付した。以下、同様。）。 
ａ「【技術分野】
【０００１】
　本発明は概して計器クラスタディスプレイに関する。特に、本発明は、
計器ダイヤル上の値を指し示すための仮想的なポインタを有する、自動車のための計器クラスタディスプレイに関する。
ｂ「【００１６】
　好適な実施形態の詳細な説明
　図１を参照すると、実施例の計器クラスタアセンブリ１０は概してだ円形である。一次ダイヤル面１２は、だ円形に配置された複数のインジケータポイント３０を備えたスケール１４を有する。
ポインタアセンブリ
はポインタイメージ３２を生ぜしめ、このポインタイメージは、測定されたパラメータに対応するスケール１４の部分を指し示すようにスケール１４に沿って移動する。
【００１７】
　ポインタイメージ３２は、現在のエンジン速度の所望の指示を提供するために、スケール１４によって規定されただ円形経路に沿って移動する。ポインタイメージ３２は、二次ディスプレイ２４の下に隠されたポインタアセンブリから形成される。ポインタアセンブリは、固体のポインタが必要ではなく、したがってダイヤル面１２のいかなる部分も妨害しないように、ポインタイメージ３２を投影する。さらに、ポインタイメージ３２は固体の部分ではないので、固定された中心軸線を中心に回転させられる物理的なポインタに課せられる制限なく、スケール１４のだ円形状に沿って移動することができる。
【００１８】
　図２を参照すると、
ポインタアセンブリ１６は中心軸線１８を中心として回転し、光ポインタキャップ２２に光を通過させることによって、イメージ３２を形成する。
光ポインタキャップ２２は、ポインタイメージ３２を形成するように成形された開口を有する。反射面５６は、ダイヤル面１２のスケール１４に沿って配置されており、
【００１９】
　計器クラスタアセンブリ１０は、レンズ５０を支持するハウジング５４を有する。レンズ５０は、ダイヤル面１２が見えるように、透明である。
反射面５６は、ダイヤル面１２に対して、及びポインタイメージ３２を形成するためにポインタアセンブリ１６から発せられる光６０に対して、傾斜して配置されている。これにより、ポインタイメージ３２は反射面５６上に見える。
ｃ「【００２１】
　
光源５８はポインタアセンブリ１６にも光を送る。ポインタアセンブリ１６は反射面２５を有し、これらの反射面２５は、光６４を光源５８から、ポインタキャップ２２を通過して、反射面５６へ反射する。プリント回路板３４は、ポインタアセンブリ１６を回転させるためのモータ４０と共に光源５８を支持している。
【００２２】
　実施例の光源５８は、主回路板３４に取り付けられた発光ダイオードＬＥＤである。実施例のＬＥＤ５８は、特定の用途のために望まれるのに応じて、あらゆる色又は輝度であることができる。さらに、２つのＬＥＤ５８が示されているが、投影されるポインタイメージ３２の所望の均一性を提供するためにあらゆる数のＬＥＤが使用されることができる。」
（Ａ）引用例１には、「計器ダイヤル上の値を指し示すための仮想的なポインタを有する、自動車のための計器クラスタディスプレイ」が記載されている（段落【０００１】）。
　
（Ｂ）引用例１には、「ポインタアセンブリはポインタイメージ３２を生ぜしめ、このポインタイメージは、測定されたパラメータに対応するスケール１４の部分を指し示すようにスケール１４に沿って移動する」ことが記載されている（段落【００１６】）。
（Ｃ）引用例１には、「ポインタアセンブリ１６は中心軸線１８を中心として回転し、光ポインタキャップ２２に光を通過させることによって、イメージ３２を形成し、光ポインタキャップ２２は、ポインタイメージ３２を形成するように成形された開口を有し、反射面５６は、ダイヤル面１２のスケール１４に沿って配置されている」ことが記載されている（段落【００１８】）。
（Ｄ）引用例１には、「反射面５６は、ダイヤル面１２に対して、及びポインタイメージ３２を形成するためにポインタアセンブリ１６から発せられる光６０に対して、傾斜して配置され、これにより、ポインタイメージ３２は反射面５６上に見える」ことが記載されている（段落【００１９】）。
（Ｅ）引用例１には、「光源５８はポインタアセンブリ１６にも光を送り、ポインタアセンブリ１６は反射面２５を有し、これらの反射面２５は、光６４を光源５８から、光ポインタキャップ２２を通過して、反射面５６へ反射し、プリント回路板３４は、ポインタアセンブリ１６を回転させるためのモータ４０と共に光源５８を支持している」ことが記載されている（段落【００２１】、なお、前記段落【００２１】に記載の「ポインタキャップ２２」は「光ポインタキャップ２２」の誤記とした。）。
　上記記載から、引用例１には、次の発明（以下、「引用発明１」という。）が記載されているものと認められる。 
「計器ダイヤル上の値を指し示すための仮想的なポインタを有する、自動車のための計器クラスタディスプレイにおいて、
ポインタアセンブリはポインタイメージ３２を生ぜしめ、このポインタイメージは、測定されたパラメータに対応するスケール１４の部分を指し示すようにスケール１４に沿って移動し、
　ポインタアセンブリ１６は中心軸線１８を中心として回転し、光ポインタキャップ２２に光を通過させることによって、イメージ３２を形成し、光ポインタキャップ２２は、ポインタイメージ３２を形成するように成形された開口を有し、反射面５６は、ダイヤル面１２のスケール１４に沿って配置され、
　反射面５６は、ダイヤル面１２に対して、及びポインタイメージ３２を形成するためにポインタアセンブリ１６から発せられる光６０に対して、傾斜して配置され、これにより、ポインタイメージ３２は反射面５６上に見え、
　光源５８はポインタアセンブリ１６にも光を送り、ポインタアセンブリ１６は反射面２５を有し、これらの反射面２５は、光６４を光源５８から、光ポインタキャップ２２を通過して、反射面５６へ反射し、プリント回路板３４は、ポインタアセンブリ１６を回転させるためのモータ４０と共に光源５８を支持している、
　自動車のための計器クラスタディスプレイ。」
イ　原査定の備考に周知例として記載され、本願の優先日前に頒布された刊行物である特開２０００−３２９５９０号公報（以下、「引用例２」という。）には、図面とともに次の記載がある。
ａ「【０００１】
【発明の属する技術分野】本発明は、計器の指針構造に関し、詳しくは、
車両用のコンビネーションメータ等の計器における指針の構造に関するものである。
ｂ「【００１４】
【発明の実施の形態】以下、本発明の実施の形態を図面に基づいて説明する。なお、図６と同一部材または同一機能のものは同一符号で示している。
【００１５】図１において、
指針１は、導光指針部材２と、この導光指針部材２を覆う指針キャップ３とで構成されている。
【００１６】
導光指針部材２は、
先細の円柱状の本体部２ａと、この本体部２ａの後端部に一体に形成された基部２ｃとからなる導光体で形成されている。
【００１７】
指針キャップ３は、
遮光性部材からなり、上面にスリット４、下面に開口部５、先端に孔６が各々形成され、
【００１８】
光源
からの光７は、
導光指針部材２の基部２ｃに導入され、テーパ面２ｂで反射され、本体部２ａを通過し、孔６から出射され、この出射光９でポイント発光を行う。
【００１９】導光指針部材２の本体部２ａの先端に所望の色の着色部１０を形成することにより、出射光９を光源の色とは異なった任意の色とすることができる。この着色部１０は、図２（ａ）に示すようにカラー印刷で形成してもよいし、あるいは、図３に示すように、光透過性の着色フィルム１１を、導光指針部材２の先端面あるいはこの先端面に対向する指針キャップ３に貼着するか、あるいは指針キャップ３の孔６の裏面と本体部２ａの先端面との間で挟むようにしてもよい。
【００２０】図４および図５に、上記指針１を使用した計器Ａ（コンビネーションメータ）の一部、すなわち、速度計１３、燃料計１４を示している。速度計１３は、
文字板１２に目盛部１５を有し、この目盛部１５の周囲に円弧状の反射リング１６が配置され、指針１の先端部が反射リング１６のテーパ面１６ａに対向して移動するようになっている。
【００２１】この実施形態では、
指針１の先端の孔６から出た出射光９でテーパ面１６ａ，１８ａを照射してポイント発光させる。
（Ａ）引用例２には、「車両用のコンビネーションメータ等の計器における指針の構造」が記載されている（段落【０００１】）。
（Ｂ）引用例２には、「指針１は、導光指針部材２と、この導光指針部材２を覆う指針キャップ３とで構成されている」ことが記載されている（段落【００１５】）。
（Ｃ）引用例２には、「導光指針部材２は、先細の円柱状の本体部２ａと、この本体部２ａの後端部に一体に形成された基部２ｃとからなる導光体で形成されている」ことが記載されている（段落【００１６】）。
（Ｄ）引用例２には、「指針キャップ３は、遮光性部材からなり、上面にスリット４、下面に開口部５、先端に孔６が各々形成される」ことが記載されている（段落【００１６】）。
（Ｅ）引用例２には、「光源からの光７は、導光指針部材２の基部２ｃに導入され、テーパ面２ｂで反射され、本体部２ａを通過し、孔６から出射され、この出射光９でポイント発光を行う」ことが記載されている（段落【００１８】）。
　上記記載から、引用例２には、次の発明（以下、「引用発明２」という。）が記載されているものと認められる。
「車両用のコンビネーションメータ等の計器における指針の構造において、
　指針１は、導光指針部材２と、この導光指針部材２を覆う指針キャップ３とで構成され、
　導光指針部材２は、先細の円柱状の本体部２ａと、この本体部２ａの後端部に一体に形成された基部２ｃとからなる導光体で形成され、
　指針キャップ３は、遮光性部材からなり、上面にスリット４、下面に開口部５、先端に孔６が各々形成され、
　光源からの光７は、導光指針部材２の基部２ｃに導入され、テーパ面２ｂで反射され、本体部２ａを通過し、孔６から出射され、この出射光９でポイント発光を行う、
　車両用のコンビネーションメータ等の計器における指針の構造。」
（２）　対比 
　本願発明と、引用発明１とを対比する。 
ア　本願明細書の段落０００１に記載されているように、「インストルメントクラスタ」とは、組み合わせ計器、あるいは、複合計器を意味する語である。 
　すると、引用発明１の「計器ダイヤル上の値を指し示すための仮想的なポインタを有する、自動車のための計器クラスタディスプレイ」と、本願発明の「自動車又は他の車両のインストルメントクラスタ」とは、「自動車又は他の車両の計器」である点で共通する。
　一方、引用発明１の「ポインタアセンブリ」は、本願発明の「ポインティングデバイス」に相当する。
　したがって、引用発明１の「計器ダイヤル上の値を指し示すための仮想的なポインタを有する、自動車のための計器クラスタディスプレイ」における「ポインタアセンブリ」は、本願発明の「自動車又は他の車両のインストルメントクラスタ用のポインティングデバイス」と、「自動車又は他の車両の計器用のポインティングデバイス」である点で共通する。
イ　引用発明１の「ポインタアセンブリ１６」は「中心軸線１８を中心として回転」するものであって「ポインタアセンブリ１６を回転させるためのモータ４０」を有するから、中心軸線１８の周りを回転可能に取り付けられているということができる。
　したがって、引用発明１の「ポインタアセンブリ１６」が中心軸線１８の周りを回転可能に取り付けられていることは、本願発明の「前記ポインティングデバイスは回転軸の周りを回転可能に取り付けられ」ることに相当する。
ウ　引用発明１において、「ポインタアセンブリ１６は反射面２５を有」するから、本願発明の「前記ポインティングデバイスはさらに光ガイドエレメント又はミラーエレメントの少なくとも一つを前記シャフトエレメントの領域に備え」ることと、「前記ポインティングデバイスはさらに光ガイドエレメント又はミラーエレメントの少なくとも一つを備え」る点で共通する。
エ　引用発明１において、「ポインタイメージ３２を形成するように成形された開口」は、本願発明の「画像形成エレメント又はアパーチャ」に相当する。
　したがって、引用発明１の「ポインタアセンブリ１６は」「光ポインタキャップ２２に光を通過させることによって、イメージ３２を形成し、光ポインタキャップ２２は、ポインタイメージ３２を形成するように成形された開口を有」することは、本願発明の「前記ポインティングデバイスはさらに画像形成エレメント又はアパーチャの一つを備え」ることに相当する。
オ　引用発明１において、「ポインタアセンブリ１６は「反射面２５」及び「ポインタイメージ３２を形成するように成形された開口」を有し、また、「ポインタアセンブリ１６は中心軸線１８を中心として回転」するから、「反射面２５」及び「ポインタイメージ３２を形成するように成形された開口」についても「中心軸線１８を中心として回転」するということができる。
　したがって、引用発明１において、「反射面２５」及び「ポインタイメージ３２を形成するように成形された開口」についても「中心軸線１８を中心として回転」することと、本願発明の「前記画像形成エレメント又は前記アパーチャの一つ及び前記光ガイドエレメント又は前記ミラーエレメントの一つは、前記シャフトエレメントと前記回転軸周りに回転可能とされ」ることとは、「前記画像形成エレメント又は前記アパーチャの一つ及び前記光ガイドエレメント又は前記ミラーエレメントの一つは、前記回転軸周りに回転可能とされ」る点で共通する。
カ　引用発明１において、「光源５８はポインタアセンブリ１６にも光を送り、ポインタアセンブリ１６は反射面２５を有し、これらの反射面２５は、光６４を光源５８から、光ポインタキャップ２２を通過」するものであり、ここで、「光ポインタキャップ２２は、ポインタイメージ３２を形成するように成形された開口を有」するものであるから、引用発明１は、光源５８からの光が、ポインタアセンブリ１６の反射面２５を介して、ポインタイメージ３２を形成するように成形された開口を通過するものと捉えることができる。
　すると、引用発明１において、光源５８からの光が、ポインタアセンブリ１６の反射面２５を介して、ポインタイメージ３２を形成するように成形された開口を通過することと、本願発明の「前記シャフトエレメントへ入射する光は、前記光ガイドエレメント又は前記ミラーエレメントの一つから前記画像形成エレメント又はアパーチャに向かい、画像形成エレメント又はアパーチャの一つを通りすぎ」ることと、「光は、前記光ガイドエレメント又は前記ミラーエレメントの一つから前記画像形成エレメント又はアパーチャに向かい、画像形成エレメント又はアパーチャの一つを通りすぎ」る点で共通する。
キ　引用発明１において、「反射面５６は、ダイヤル面１２に対して、及びポインタイメージ３２を形成するためにポインタアセンブリ１６から発せられる光６０に対して、傾斜して配置され、これにより、ポインタイメージ３２は反射面５６上に見え」るものであって、「ダイヤル面１２」は、本願発明の「表示面」に相当するから、本願発明の「さらに表示面にて反射されて初めてインストルメントクラスタのユーザに視認可能とな」ることと、「さらに反射されて初めてインストルメントクラスタのユーザに視認可能とな」る点で共通する。
　以上のことから、本願発明と引用発明１との一致点及び相違点は、次のとおりである。
（一致点） 
「自動車又は他の車両の計器用のポインティングデバイスであって、
　前記ポインティングデバイスは回転軸の周りを回転可能に取り付けられ、
　前記ポインティングデバイスはさらに光ガイドエレメント又はミラーエレメントの少なくとも一つを備え、
　前記ポインティングデバイスはさらに画像形成エレメント又はアパーチャの一つを備え、
　前記画像形成エレメント又は前記アパーチャの一つ及び前記光ガイドエレメント又は前記ミラーエレメントの一つは、前記回転軸周りに回転可能とされ、
　光は、前記光ガイドエレメント又は前記ミラーエレメントの一つから前記画像形成エレメント又はアパーチャに向かい、画像形成エレメント又はアパーチャの一つを通りすぎ、さらに反射されて初めてインストルメントクラスタのユーザに視認可能となり、
　ポインティングデバイス。」
（相違点１）
　本願発明は、「自動車又は他の車両のインストルメントクラスタ用のポインティングデバイスであるのに対し、引用発明１は、「インストルメントクラスタ」との特定がない点。
（相違点２）
　本願発明は、「前記ポインティングデバイスは前記回転軸の近傍にシャフトエレメントを有し」ているのに対し、引用発明１では、このような特定はない点。 
（相違点３） 
　本願発明は、光ガイドエレメント又はミラーエレメントの少なくとも一つを「前記シャフトエレメントの領域に」備えるのに対し、引用発明１では、このような特定がない点。
（相違点４）
　本願発明は、前記画像形成エレメント又は前記アパーチャの一つ及び前記光ガイドエレメント又は前記ミラーエレメントの一つは、「前記シャフトエレメントと」前記回転軸周りに回転可能とされるのに対し、引用発明１では、このような特定がない点。
（相違点５）
　光について、本願発明は、「前記シャフトエレメントへ入射する」光であるのに対し、引用発明１では、このような特定はない点。
（相違点６）
　反射について、本願発明は、「表示面にて」反射されて初めてインストルメントクラスタのユーザに視認可能となるのに対し、引用発明１では、反射面５６は、ダイヤル面１２のスケール１４に沿って配置されるものの、表示面との特定がない点。
（相違点７） 
　本願発明は、「前記ポインティングデバイスは、前記ポインティングデバイスの半径方向に沿って延びるキャリアとカバーリングエレメントとをさらに含み、前記カバーリングエレメントはユーザに視認可能であり、前記画像形成エレメント又はアパーチャの一つは前記キャリアと前記カバーリングエレメントとの間に挟まれて機械的にしっかりと固定されている」のに対し、引用発明１では、このような特定がない点。
ウ　判断 
（ア）事案に鑑み、まず、（相違点７）について検討する。
　引用発明１には、ポインタアセンブリ１６（本願発明の「前記ポインティングデバイス」に相当（上記（２）ア））が、「ポインタイメージ３２を形成するように成形された開口」（本願発明の「画像形成エレメント又はアパーチャ」に相当（上記（２）エ））を有するものであるが、ポインタアセンブリ１６がキャリアとカバーリングエレメントとをさらに含み、また、前記開口が、前記キャリアと前記カバーリングエレメントとの間に挟まれて機械的にしっかりと固定されているものではなく、また、引用例２には、このような固定を示唆する記載もない。
　
　引用発明２は、「車両用のコンビネーションメータ等の計器における指針の構造において、指針１は、導光指針部材２と、この導光指針部材２を覆う指針キャップ３とで構成され」たものにおいて、「指針キャップ３は、遮光性部材からなり、」「先端に孔６が」「形成」されるものであり、「光源からの光７は、導光指針部材２の基部２ｃに導入され、テーパ面２ｂで反射され、本体部２ａを通過し、孔６から出射され」るものであるから、「孔６」は、本願発明の「画像形成エレメント又はアパーチャ」に相当する。
　しかしながら、引用発明２の「孔６」は、「指針キャップ３」に形成されるものであって、この「孔６」が、部材と、この部材をカバーする部材のとの間に挟まれて機械的にしっかりと固定されるものではなく、また、引用例２には、このような固定を示唆する記載もない。
　したがって、上記（相違点７）に係る本願発明の構成は、引用発明１及び引用発明２に基づいて、当業者が容易になし得たことであるとはいえない。
　よって、本願発明は、上記（相違点１）ないし（相違点６）について検討するまでもなく、引用発明１及び引用発明２に基づいて、当業者が容易に発明をすることができたとはいえない。 
（イ）他の請求項について
　本願の請求項２ないし４に係る発明は、本願発明をさらに限定したものであるので、同様に、引用発明１及び引用発明２に基づいて、当業者が容易に発明をすることができたとはいえない。 
　また、請求項５に係る発明は、「ポインティングデバイス」を含む「自動車又は他の車両のインストルメントクラスタ」の発明であって、「ポインティングデバイス」に係る発明特定事項は、本願発明と同様のものであるから、請求項５に係る発明は、本願発明と同様の理由により、引用発明１及び引用発明２に基づいて、当業者が容易に発明をすることができたとはいえない。
　さらに、本願の請求項６に係る発明は、請求項５に係る発明をさらに限定したものであるので、同様に、引用発明１及び引用発明２に基づいて、当業者が容易に発明をすることができたとはいえない。
エ　小括
　以上のとおりであるから、原査定の理由によっては、本願を拒絶することはできない。
第４　当審拒絶理由について 
１　当審拒絶理由の概要
「第１　この審判事件に関する出願（以下、「本願」という。）の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　記　　　（引用文献については引用文献一覧参照） 
 １　請求項１ 
 引用文献１，２ 
 ２　請求項２ 
 引用文献１〜３ 
 ３　請求項３〜７ 
 引用文献１，２、又は、引用文献１〜３ 
 ４　請求項８ 
 引用文献１，２ 
 ５　請求項９ 
 引用文献１〜３ 
 　　　　　　　　　　　　引　用　文　献　一　覧 
 １．実願平１−５５１５３号（実開平２−１４６３１９号）のマイクロフィルム 
 ２．特開２０００−３２９５９０号公報 
 ３．特表２００９−５２３２５０号公報 
 第２　本願は、特許請求の範囲の記載が下記の点で、特許法第３６条第６項第２号に規定する要件を満たしていない。 
  
 　　　　　　　　　　　　　　　　　記 
 （１）請求項２，９には「前記入射光」とあるが、「入射光」は前記されていない。 
 （２）請求項６における「前記前記アパーチャ」なる記載は誤記である。 
 （３）請求項８には「前記光入射」とあるが、「光入射」は前記されていない。 
 　よって、請求項２，６，８，９、及び、それらを引用する各請求項に係る発明は明確でない。　　　　　　 」
２　当審の拒絶理由「第１」についての判断
（１）引用例の記載事項
ア　当審の拒絶理由に引用文献１として引用され、本願の優先日前に頒布された刊行物である実願平１−５５１５３号（実開平２−１４６３１９号）のマイクロフィルム（以下、「引用例３」という。）には、図面とともに次の記載がある（なお、引用例３は、平成２７年６月１８日付け前置報告書に記載された引用文献３である。）。
ａ「［産業上の利用分野］
本考案は例えば
自動車に設備されるアナログ式計器
指示計器
ｂ「［実　施　例］ 
　以下に本考案を第１図乃至第３図に示す実施例に基いて詳細に説明する。
　第１図及び第２図において、１１は計器の文字板でこの文字板１１の表面周辺部には昼間は反射光で表示されるが、夜間時にあっては透過光で表示される数字１２が施されている。またこの数字表示帯域の内側には、正面円弧形状に形成されるレンズ体１３が取付けられており、さらにこのレンズ体１３の内側辺縁に沿って、反射光のみで表示される例えば黒色の目盛１４が施されている。またこの目盛１４の背景色は白色に印刷されているものである。前記文字板１１の裏側には、前記数字１２を透過照明するため、さらには文字板１１の裏側に取付けられている導光体１５に入光せしめるための光源１６が配置されている。１７は文字板１１の表面側に位置される指針であるが、この
指針１７は、前記導光体１５より導かれる導光を受ける透明材料で形成されているが、この指針１７の指示部１７’の先端面１７”を除く表面には遮光性のホットスタンプ等からなる光反射層１８が形成されており、さらにこの光反射層１８の表面には無反射とする黒色層１９が施されている。
　従ってこのように構成されている指示計器にあっては、
昼間においては
指針１７は黒色に表示される。
　従って
指針１７により指される数字部の近傍が発光表示２０されるので、その発光表示２０により視認性が高められる指示計器が提供できる。
（Ａ）引用例３には、「自動車に設備されるアナログ式の指示計器」が記載されている（上記ａ）。 
  
（Ｂ）引用例３には、「指針１７により指される数字部の近傍が発光表示２０されるので、その発光表示２０により視認性が高められる指示計器が提供できる。」と記載されており（上記ｂ）、「指針１７」が「指示計器」用のものであることがわかる。 
 　よって、引用例３には、「指示計器用の指針１７」が記載されているということができる。
  
（Ｃ）引用例３には、「指針１７は、導光体１５より導かれる導光を受ける透明材料で形成され」ており、「この指針１７の指示部１７’の先端面１７”を除く表面には遮光性のホットスタンプ等からなる光反射層１８が形成されており、さらにこの光反射層１８の表面には無反射とする黒色層１９が施されている」ことが記載されている（上記ｂ）。 
  
（Ｄ）引用例３には、「昼間においては指針１７は黒色に表示される」ことが記載されている（上記ｂ）。
  
（Ｅ）図１には、「指針１７は指示計器の半径方向に沿って延びている」ことが見て取れる。
（Ｆ）図２には、導光体１５から指針１７内に導かれた導光は、いったん反射してから先端面１７”へ向かうようにガイドされることが見て取れる。 
（Ｇ）図２には、導光体１５及び指針１７内を経て先端面１７”からレンズ体１３に向けて放射された光は、文字板１１の表面にて反射されて指示計器のユーザに視認可能となることが見て取れる。
  
　上記記載から、引用例３には、次の発明（以下、「引用発明３」という。）が記載されていると認められる。
 「自動車に設備されるアナログ式の指示計器用の指針１７であって、 
　前記指針１７は、導光体１５より導かれる導光を受ける透明材料で形成されており、この指針１７の指示部１７’の先端面１７”を除く表面には遮光性のホットスタンプ等からなる光反射層１８が形成されており、さらにこの光反射層１８の表面には無反射とする黒色層１９が施されており、
　前記指針１７は指示計器の半径方向に沿って延びており、 
　昼間においては指針１７は黒色に表示され、
　導光体１５から指針１７内に導かれた導光は、いったん反射してから先端面１７”へ向かうようにガイドされ、
　導光体１５及び指針１７内を経て先端面１７”からレンズ体１３に向けて放射された光は、文字板１１の表面にて反射されて指示計器のユーザに視認可能となる、
　指針１７。」
イ　当審の拒絶理由で引用した引用文献２は、原査定の備考に周知例として記載され、本願の優先日前に頒布された刊行物である特開２０００−３２９５９０号公報と同一であって、その記載事項は、上記「第３　２（１）イ」に引用例２及び引用発明２として記載したとおりである（以下、引用文献２、及び引用文献２に記載された発明を、それぞれ、引用例２、引用発明２という。）。 
ウ　当審の拒絶理由で引用した引用文献３は、原査定の拒絶の理由に引用され、本願の優先日前に頒布された刊行物である特表２００９−５２３２５０号公報と同一であって、その記載事項は、上記「第３　２（１）ア」に引用例１及び引用発明１として記載したとおりである（以下、引用文献３、及び引用文献３に記載された発明を、それぞれ、引用例１、引用発明１という。）。
（２）　対比
　本願発明と、引用発明３とを対比する。 
ア　本願明細書の段落０００１に記載されているように、「インストルメントクラスタ」とは、組み合わせ計器、あるいは、複合計器を意味する語である。 
　すると、引用発明３の「自動車に設備されるアナログ式の指示計器」と、本願発明の「自動車又は他の車両のインストルメントクラスタ」とは、「自動車又は他の車両の計器」である点で共通する。
　また、引用発明３の「指針１７」は、本願発明の「ポインティングデバイス」に相当する。
　したがって、引用発明３の「自動車に設備されるアナログ式の指示計器用の指針１７」は、本願発明の「自動車又は他の車両のインストルメントクラスタ用のポインティングデバイス」と、「自動車又は他の車両の計器用のポインティングデバイス」である点で共通する。
イ「自動車に設備されるアナログ式の指示計器」において、指針とは何らかの回転軸の周りを回転するものであることは技術常識である。 
　よって、引用発明３の「指針１７」は、本願発明の「回転軸の周りを回転可能に取り付けられ」た「ポインティングデバイス」に相当する。
ウ　引用発明３は、「導光体１５から指針１７内に導かれた導光は、いったん反射してから先端面１７”へ向かうようにガイドされ」されるものであって、反射することから、指針１７がミラーエレメントを有することは明らかである。したがって、引用発明３の「導光体１５から指針１７内に導かれた導光は、いったん反射してから先端面１７”へ向かうようにガイドされ」されることと、本願発明の「前記ポインティングデバイスはさらに光ガイドエレメント又はミラーエレメントの少なくとも一つを前記シャフトエレメントの領域に備え」ることとは、「前記ポインティングデバイスはさらに光ガイドエレメント又はミラーエレメントの少なくとも一つを備え」る点で共通する。
エ　一般に、光学系における「アパーチャ」とは、光を通すために設けられた開口のことである。 
　そして、引用発明３において、「指針１７」は、指示部１７’の「先端面１７”」を除く表面に遮光性のホットスタンプ等からなる光反射層１８が形成されており、さらにこの光反射層１８の表面には無反射とする黒色層１９が施されている。さらに、「先端面１７”」からは導光体１５及び指針１７内を経た光が放射される。すると、「先端面１７”」とは、光を放射するために、「光反射層１８」や「黒色層１９」を設けないようにした、開口といえる。そして、その開口の形によって、放射される光の形が規定される、すなわち画像が形成されることは当業者にとって明らかである。 
　したがって、引用発明１の「先端面１７”」を設けることは、本願発明の「ポインティングデバイスはさらに画像形成エレメント又はアパーチャの一つを備え」ることに相当する。 
オ　引用発明３は、「導光体１５から指針１７内に導かれた導光は、いったん反射してから先端面１７”へ向かうようにガイドされ」るものであって、指針１７内に導かれた導光を反射させる部材、及び「先端面１７”」は、いずれも「指針１７」に設けられているものである。そして、上記「（イ）」において述べたように、「指針１７」が回転軸の周りを回転するものであることは技術常識である。 
　すると、指針１７内に導かれた導光を反射させる部材、及び「先端面１７”」が、回転軸周りに一体に回転可能であることは明らかである。 
　よって、引用発明３において、「指針１７」に「先端面１７”」が存在すること、及び、指針１７内に導かれた導光を反射させる部材を備え、両者が、回転軸周りに一体に回転可能であることは、本願発明の「前記画像形成エレメント又は前記アパーチャの一つ及び前記光ガイドエレメント又は前記ミラーエレメントの一つは、前記シャフトエレメントと前記回転軸周りに回転可能とされ」ることに相当する。
カ　本願発明において、「シャフトエレメント」は「ポインティングデバイス」が有するものである。すると、本願発明において、「前記シャフトエレメントへ入射する光」は、「ポインティングデバイス」への光入射ということになる。 
 　次に、引用発明３において、「指針１７」（「ポインティングデバイス」に相当）に導かれた導光、すなわち、「指針１７内」への光入射は、いったん反射してから先端面１７”（「画像形成エレメント又はアパーチャの一つ」に相当）へ向かうようにガイドされ、先端面１７”から放射された光は、表示面にて反射されて指示計器のユーザに視認可能となるものである。ここで、光が先端面１７”から放射されることは、光が先端面１７”を通りすぎることにほかならない。 
 　また、「指針１７」には、先端面１７”を除く表面に光反射層１８及び黒色層１９が形成されているのであるから、「先端面１７”」以外に、「指針１７」に導かれた光が放射される部分は無い。さらに、先端面１７”から放射されて指示計器のユーザに視認される光は、文字板１１の表面にて反射されたものである。すると、指針１７に導かれた導光は、いったん反射してから先端面１７”（「画像形成エレメント又はアパーチャの一つ」に相当）へ向かうようにガイドされ、先端面１７”から放射され、さらに文字板１１の表面、すなわち表示面にて反射されて初めて指示計器のユーザに視認可能となることは、当業者にとって明らかである。 
　すると、引用発明３の「指針１７の指示部１７’の先端面１７”を除く表面には遮光性のホットスタンプ等からなる光反射層１８が形成されており、さらにこの光反射層１８の表面には無反射とする黒色層１９が施されて」いること、及び、「導光体１５から指針１７内に導かれた導光は、いったん反射してから先端面１７”へ向かうようにガイドされ、」「先端面１７”からレンズ体１３に向けて放射された光は、文字板１１の表面にて反射されて指示計器のユーザに視認可能となる」ことと、本願発明の「前記シャフトエレメントへ入射する光は、前記光ガイドエレメント又は前記ミラーエレメントの一つから前記画像形成エレメント又はアパーチャに向かい、画像形成エレメント又はアパーチャの一つを通りすぎ、さらに表示面にて反射されて初めてインストルメントクラスタのユーザに視認可能とな」ることとは、「前記ポインティングデバイスへ入射する光は、前記光ガイドエレメント又は前記ミラーエレメントの一つから前記画像形成エレメント又はアパーチャに向かい、画像形成エレメント又はアパーチャの一つを通りすぎ、さらに表示面にて反射されて初めて計器のユーザに視認可能とな」る点で共通する。 
  
キ　引用発明３において、「指針１７」は、昼間においては黒色に表示されるものであるが、この黒色の表示が、「指針１７」に設けられた「黒色層１９」の色が指示計器のユーザに視認されることによって生じていることは、当業者にとって明らかである。 
　さらに、引用発明３において、「前記指針１７は指示計器の半径方向に沿って延びて」いるのであるから、その「指針１７」に設けられた「黒色層１９」も、指示計器の半径方向に沿って延びていることは明らかであって、引用発明３の「黒色層１９」と、本願発明の「前記ポインティングデバイスの半径方向に沿って延びるキャリアとカバーリングエレメント」とは、「前記ポインティングデバイスの半径方向に沿って延びるエレメント」である点で共通する。
　すると、引用発明３において、「この指針１７の指示部１７’の先端面１７”を除く表面には遮光性のホットスタンプ等からなる光反射層１８が形成されており、さらにこの光反射層１８の表面には無反射とする黒色層１９が施され」、「前記指針１７は指示計器の半径方向に沿って延び」、「昼間においては指針１７は黒色に表示され」ることと、本願発明の「前記ポインティングデバイスは、前記ポインティングデバイスの半径方向に沿って延びるキャリアとカバーリングエレメントとをさらに含み、前記カバーリングエレメントはユーザに視認可能であ」ることとは、「前記ポインティングデバイスは、前記ポインティングデバイスの半径方向に沿って延びるエレメントとをさらに含み、前記エレメントはユーザに視認可能であ」る点で共通する。 
　以上のことから、本願の本願発明と引用発明３との一致点及び相違点は、次のとおりである。 
（一致点） 
「自動車又は他の車両の計器用のポインティングデバイスであって、
　前記ポインティングデバイスは回転軸の周りを回転可能に取り付けられ、
　前記ポインティングデバイスはさらに光ガイドエレメント又はミラーエレメントの少なくとも一つを備え、
　前記ポインティングデバイスはさらに画像形成エレメント又はアパーチャの一つを備え、
　前記画像形成エレメント又は前記アパーチャの一つ及び前記光ガイドエレメント又は前記ミラーエレメントの一つは、前記シャフトエレメントと前記回転軸周りに回転可能とされ、
　前記ポインティングデバイスへ入射する光は、前記光ガイドエレメント又は前記ミラーエレメントの一つから前記画像形成エレメント又はアパーチャに向かい、画像形成エレメント又はアパーチャの一つを通りすぎ、さらに表示面にて反射されて初めてインストルメントクラスタのユーザに視認可能となり、
　前記ポインティングデバイスは、前記ポインティングデバイスの半径方向に沿って延びるエレメントとをさらに含み、前記エレメントはユーザに視認可能である、
ポインティングデバイス。」
（相違点１）
　本願発明の「ポインティングデバイス」は自動車又は他の車両の「インストルメントクラスタ用」であるのに対し、引用発明３の「指針１７」は自動車に設備されるアナログ式の「指示計器用」である点。
（相違点２）
　本願発明は、「前記ポインティングデバイスは前記回転軸の近傍にシャフトエレメントを有し」ているのに対し、引用発明３では、このような特定はない点。 
（相違点３）
　前記ポインティングデバイスはさらに光ガイドエレメント又はミラーエレメントの少なくとも一つを備えることについて、本願発明は、「前記シャフトエレメントの領域に」備えるのに対し、引用発明３では、このような特定がない点。 
（相違点４）
　本願発明は、前記画像形成エレメント又は前記アパーチャの一つ及び前記光ガイドエレメント又は前記ミラーエレメントの一つは、「前記シャフトエレメントと」前記回転軸周りに回転可能とされるのに対し、引用発明３では、このような特定がない点。
（相違点５）
　前記ポインティングデバイスへ入射する光について、本願発明は、「前記シャフトエレメントへ入射する」光であるのに対し、引用発明３では、このような特定がない点。 
（相違点６）
　本願発明は、前記ポインティングデバイスの半径方向に沿って延びる「キャリアとカバーリングエレメント」とをさらに含み、「前記カバーリング」エレメントはユーザに視認可能であり、「前記画像形成エレメント又はアパーチャの一つは前記キャリアと前記カバーリングエレメントとの間に挟まれて機械的にしっかりと固定されている」のに対し、引用発明３では、指示計器の半径方向に沿って延びる「黒色層１９」（本願請求項１に係る発明の「ポインティングデバイスの半径方向に沿って延びる」「エレメント」に相当（上記キ））を有するものの、その余の事項について特定がない点。
（３）判断 
ア　事案に鑑み、まず、（相違点６）について検討する。 
　引用発明３では、指示計器の半径方向に沿って延びる「黒色層１９」（本願発明の「ポインティングデバイスの半径方向に沿って延びる」「エレメント」に相当）を有するものの、前記ポインティングデバイスの半径方向に沿って延びる「キャリアとカバーリングエレメント」とを含むものではない。加えて、引用発明３の「先端面１７”」は、本願発明の「前記画像形成エレメント又はアパーチャの一つ」に相当するものの、先端面１７”において開放されていることでもって「前記画像形成エレメント又はアパーチャの一つ」に相当するものであって、本願発明のように「前記キャリアと前記カバーリングエレメントとの間に挟まれて機械的にしっかりと固定されている」ものではなく、また、このような固定を示唆する記載もない。
　また、引用発明２は、「車両用のコンビネーションメータ等の計器における指針の構造において、指針１は、導光指針部材２と、この導光指針部材２を覆う指針キャップ３とで構成され」たものにおいて、「指針キャップ３は、遮光性部材からなり、」「先端に孔６が」「形成」されるものであり、「光源からの光７は、導光指針部材２の基部２ｃに導入され、テーパ面２ｂで反射され、本体部２ａを通過し、孔６から出射され」るものであるから、「孔６」は、本願発明の「画像形成エレメント又はアパーチャ」に相当する。
　しかしながら、引用発明２の「孔６」は、「指針キャップ３」に形成されるものであって、この「孔６」が、部材と、この部材をカバーする部材のとの間に挟まれて機械的にしっかりと固定されるものではなく、また、このような固定を示唆する記載もない。
　さらに、引用発明１は、ポインタアセンブリ（本願発明の「前記ポインティングデバイス」に相当（上記第３　２（２）ア））が、「ポインタイメージ３２を形成するように成形された開口」（本願発明の「画像形成エレメント又はアパーチャ」に相当（上記第３　２（２）エ））を有するものであるが、ポインタアセンブリ１６がキャリアとカバーリングエレメントとをさらに含み、また、前記開口が、前記キャリアと前記カバーリングエレメントとの間に挟まれて機械的にしっかりと固定されているものではなく、また、このような固定を示唆する記載もない。
　したがって、上記（相違点６）に係る本願発明の構成は、引用発明１、引用発明２及び引用発明３に基づいて、当業者が容易になし得たことであるとはいえない。
　よって、本願発明は、上記（相違点１）ないし（相違点５）について検討するまでもなく、引用発明１、引用発明２及び引用発明３に基づいて、当業者が容易に発明をすることができたとはいえない。
イ  他の請求項について
　本願の請求項２ないし４に係る発明は、本願発明をさらに限定したものであるので、同様に、引用発明１、引用発明２及び引用発明３に基づいて、当業者が容易に発明をすることができたとはいえない。 
　また、請求項５に係る発明は、「ポインティングデバイス」を含む「自動車又は他の車両のインストルメントクラスタ」の発明であって、「ポインティングデバイス」に係る発明特定事項は、本願発明と同様のものであるから、請求項５に係る発明は、本願発明と同様の理由により、引用発明１、引用発明２及び引用発明３に記載された発明に基づいて、当業者が容易に発明をすることができたとはいえない。
　さらに、本願の請求項６に係る発明は、請求項５に係る発明をさらに限定したものであるので、同様に、引用発明１、引用発明２及び引用発明３に記載された発明に基づいて、当業者が容易に発明をすることができたとはいえない。
ウ　まとめ
　したがって、当審の拒絶理由「第１」によっては、本願を拒絶することができない。
３　当審の拒絶理由「第２」についての判断 
（１）本件補正によって、本件補正後の請求項２及び請求項６（本件補正前の請求項９）は、「前記光」と補正され、本件補正後の請求項１及び請求項５（本件補正前の請求項８）は、「入射する光」と補正された。このことにより、「前記」という語による引用関係が整理され、本件補正後の請求項２及び請求項６に係る発明は明確になった。
（２）本件補正によって、本件補正後の請求項４（本件補正前の請求項６）は「前記アパーチャ」と補正された。このことにより、本件補正後の請求項４に係る発明は明確になった。
（３）本件補正によって、本件補正後の請求項５（本件補正前の請求項８）は「入射する光」と補正された。このことにより、本件補正後の請求項５に係る発明は明確になった。
　また、本件補正後の請求項２、請求項４、請求項５、請求項６、及びそれらを引用する請求項に係る発明は明確になった。
 
（４）まとめ
　したがって、当審の拒絶理由「第２」によっては、本願を拒絶することができない。
４　小括
　以上のとおり、当審の拒絶理由によっては、本願を拒絶することができない。
第５　むすび 
　以上のとおりであるから、原査定の理由及び当審の拒絶の理由によって、本願を拒絶することはできない。 
　また、他に本願を拒絶すべき理由を発見しない。 
　よって、結論のとおり審決する。